(57)【要約】【課題】定格布量よりも少量の衣類を短時間で、効率的に乾燥させる。【解決手段】衣類乾燥機１は、関係温度がオフ閾値以上になると加熱部１６を停止させ、関係温度がオン閾値以下になると加熱部１６を作動させる温調制御を実行する温調制御部２０２と、布量設定部２１３で定格布量が設定された場合、温調制御におけるオフ閾値及びオン閾値をそれぞれ、定格オフ閾値及び所定の定格オン閾値に設定する定格閾値設定部２０３と、布量設定部２１３で定格布量よりも少量の布量が設定された場合、温調制御におけるオフ閾値を、定格オフ閾値よりも高温の少量オフ閾値に設定する少量閾値設定部２０４とを有する。【選択図】図２
2019076360.tif 000002
【特許請求の範囲】
【請求項１】
衣類を収容するドラムと、
外部からドラム内に空気を送る送風部と、
ドラム内に送られる空気を加熱する加熱部と、
乾燥運転における温調制御のための関係温度を検出する関係温度検出部と、
衣類の布量を手動または自動で設定する布量設定部と、
加熱部及び送風部を作動させることによって乾燥運転が開始された後、関係温度が所定のオフ閾値以上になると加熱部を停止させ、関係温度が所定のオン閾値以下になると加熱部を作動させる温調制御を実行する温調制御部と、
布量設定部で所定の定格布量が設定された場合、温調制御におけるオフ閾値及びオン閾値をそれぞれ、所定の定格オフ閾値及び所定の定格オン閾値に設定する定格閾値設定部と、
布量設定部で所定の定格布量よりも少量の布量が設定された場合、温調制御における少なくともオフ閾値を、所定の定格オフ閾値よりも高温の所定の少量オフ閾値に設定する少量閾値設定部と、を有する衣類乾燥機。
【請求項２】
請求項１に記載の衣類乾燥機において、
少量閾値設定部は、布量設定部で所定の定格布量よりも少量の布量が設定された場合、温調制御におけるオン閾値を、所定の定格オン閾値よりも高温の所定の少量オン閾値に設定する衣類乾燥機。
【請求項３】
請求項１または２に記載の衣類乾燥機において、
関係温度は、ドラム内から排気される空気の排気温度、またはドラム内の衣類の衣類温度の少なくともいずれか一方を含み、
関係温度検出部は、排気温度を検出する排気温度検出部、または衣類温度を検出する衣類温度検出部の少なくともいずれか一方を含む衣類乾燥機。
【請求項４】
請求項１〜３のいずれか１項に記載の衣類乾燥機において、
温調制御部は、関係温度が所定のオフ閾値以上になって加熱部を停止させた後、所定のオフ期間が経過するまで、加熱部を作動させない衣類乾燥機。
【発明の詳細な説明】
【技術分野】
【０００１】
本発明は、衣類乾燥機に関する。特に、本発明は、乾燥運転において、加熱部を作動及び停止させる温調制御が実行される衣類乾燥機に関する。
【背景技術】
【０００２】
従来、衣類を収容可能なドラムと、ドラムに対して乾燥用空気の給排気を行う給排気手段と、ドラムに給気される乾燥用空気を加熱する加熱手段と、ドラムから排気される乾燥用空気の温度を検出する排気温度検出手段と、排気温度検出手段で検出される排気温度が所定の上限温度に到達すると加熱手段を停止させ、排気温度が所定の再着火温度まで低下すると加熱手段を再作動させる温調制御を実行する制御手段とを備えた衣類乾燥機が提案されている（例えば、特許文献１）。この衣類乾燥機では、過熱による衣類の痛みを低減させるために、温調制御の断続的な繰り返しに応じて、再着火温度が徐々に引き下げられる。
【先行技術文献】
【特許文献】
【０００３】
【特許文献１】特開２０１７−１０８８７０号公報
【発明の概要】
【発明が解決しようとする課題】
【０００４】
ところで、衣類乾燥機では、ドラムの容積に応じて、標準の衣類の布量（以下、「定格布量」という）が設定される。そのため、温調制御において加熱手段を停止及び作動させるための上下限温度（以下、温調制御においてバーナを停止させる上限温度を「オフ閾値」といい、温調制御においてバーナを作動させる下限温度を「オン閾値」という）も、定格布量の衣類がドラム内に収容されたときの条件に基づいて設定されている。
【０００５】
しかしながら、乾燥される衣類の布量は、乾燥運転ごとに異なり、定格布量よりも少量の衣類がドラム内に収容される場合がある。このような少量の衣類がドラム内に収容されている場合、ドラム内に供給される加熱された空気の一部は衣類に触れることなくドラム内を短絡して、ドラム外に流れる。そのため、排気温度に基づいて温調制御が行われている場合、加熱手段が作動しているときには、短時間内で排気温度が上昇し、加熱手段が停止しているときには、短時間内で排気温度が低下する。その結果、少量の衣類を乾燥させる場合、衣類に十分な熱量が与えられる前に、加熱手段の作動及び停止が頻繁に行われてしまい、乾燥時間が長くなりやすい。特に、特許文献１のように温調制御が繰り返されるごとにオン閾値である再着火温度を低下させると、ドラム内に供給される空気の温度が低下していくため、さらに乾燥時間が長くなるという問題がある。
【０００６】
本発明は、上記課題を解決するためになされたものであり、本発明の目的は、定格布量よりも少量の衣類を短時間で効率的に乾燥可能な衣類乾燥機を提供することにある。
【課題を解決するための手段】
【０００７】
本発明によれば、
衣類を収容するドラムと、
外部からドラム内に空気を送る送風部と、
ドラム内に送られる空気を加熱する加熱部と、
乾燥運転における温調制御のための関係温度を検出する関係温度検出部と、
衣類の布量を手動または自動で設定する布量設定部と、
加熱部及び送風部を作動させることによって乾燥運転が開始された後、関係温度が所定のオフ閾値以上になると加熱部を停止させ、関係温度が所定のオン閾値以下になると加熱部を作動させる温調制御を実行する温調制御部と、
布量設定部で所定の定格布量が設定された場合、温調制御におけるオフ閾値及びオン閾値をそれぞれ、所定の定格オフ閾値及び所定の定格オン閾値に設定する定格閾値設定部と、
布量設定部で所定の定格布量よりも少量の布量が設定された場合、温調制御における少なくともオフ閾値を、所定の定格オフ閾値よりも高温の所定の少量オフ閾値に設定する少量閾値設定部と、を有する衣類乾燥機が提供される。
【０００８】
上記衣類乾燥機によれば、定格布量よりも少量の衣類を乾燥させる場合、温調制御における少なくともオフ閾値を、定格オフ閾値よりも高温の少量オフ閾値に設定するから、関係温度が定格オフ閾値まで上昇しても加熱部が停止されない。これにより、ドラム内で衣類をより高温の空気に接触させることができ、衣類に十分な熱量を与えることができる。
【０００９】
好ましくは、上記衣類乾燥機において、
少量閾値設定部は、布量設定部で所定の定格布量よりも少量の布量が設定された場合、温調制御におけるオン閾値を、所定の定格オン閾値よりも高温の所定の少量オン閾値に設定する。
【００１０】
温調制御では送風部により外部からドラム内に空気が供給されているから、加熱部を停止させると、外部の低温の空気がドラム内に供給されて、ドラム内の温度が低下する。そのため、関係温度が定格オン閾値以下に低下した後、加熱部を作動させると、加熱部が停止されている時間が長くなって、関係温度が上昇するのに長時間が必要となり、乾燥時間が長くなりやすい。
しかしながら、上記衣類乾燥機によれば、定格布量よりも少量の衣類を乾燥させる場合、温調制御において、オン閾値が、定格オン閾値よりも高温の少量オン閾値に設定されるから、ドラム内を高温に維持することができ、衣類に十分な熱量を与えることができる。
【００１１】
好ましくは、上記衣類乾燥機において、
関係温度は、ドラム内から排気される空気の排気温度、またはドラム内の衣類の衣類温度の少なくともいずれか一方を含み、
関係温度検出部は、排気温度を検出する排気温度検出部、または衣類温度を検出する衣類温度検出部の少なくともいずれか一方を含む。
【００１２】
ドラム内から排気される空気の排気温度を温調制御のための関係温度として利用することにより、衣類に触れた後のドラム内を通過する実際の空気の温度に基づき、温調制御を行うことができる。
また、ドラム内の衣類の衣類温度を関係温度として利用することにより、乾燥運転中の衣類の衣類温度に基づき、温調制御を行うことができる。また、部分的な衣類の過熱を検知できるから、衣類の損傷を防止することができる。
【００１３】
好ましくは、上記衣類乾燥機において、
温調制御部は、関係温度が所定のオフ温度閾値以上になって加熱部を停止させた後、所定のオフ期間が経過するまで、加熱部を作動させない。
【００１４】
上記衣類乾燥機によれば、一旦、関係温度がオフ閾値まで上昇して加熱部を停止させると、オフ期間が経過するまで加熱部を作動させないから、頻繁な加熱部の作動及び停止を回避できる。これにより、衣類の損傷を防止しながら、効率的に衣類を乾燥させることができる。
【発明の効果】
【００１５】
以上のように、本発明によれば、定格布量よりも少量の衣類を温調制御が実行される衣類乾燥機で乾燥させる場合に、ドラム内で衣類に与える熱量を増加させて、効率的に衣類を乾燥させることができるから、乾燥時間を短縮することができる。
【図面の簡単な説明】
【００１６】
【図１】本発明の実施の形態に係る衣類乾燥機の一例を示す概略構成図である。
【図２】本発明の実施の形態に係る衣類乾燥機の一例を示す制御ブロック図である。
【図３】本発明の実施の形態に係る衣類乾燥機の制御動作の一例を示すフローチャートの一部である。
【図４】本発明の実施の形態に係る衣類乾燥機の制御動作の一例を示すフローチャートの一部である。
【図５】本発明の実施の形態に係る衣類乾燥機の制御動作の一例を示すフローチャートの一部である。
【図６】本発明の実施の形態に係る衣類乾燥機の乾燥運転における乾燥時間と関係温度との関係を示すグラフである。
【図７】本発明の実施の形態に係る衣類乾燥機の乾燥運転における乾燥時間と関係温度との他の関係を示すグラフである。
【発明を実施するための形態】
【００１７】
以下、図面を参照しながら、本発明の実施の形態に係る衣類乾燥機を具体的に説明する。
図１は、本発明の実施の形態に係る衣類乾燥機１の概略構成図である。衣類乾燥機１は、前面側に衣類投入口１００が開設された本体ケース１０と、衣類投入口１００を開閉する扉１１とを備える。本体ケース１０内には、ドラム１２と、ファン（送風部）１４と、バーナ（加熱部）１６と、制御装置２０とが収容されている。
【００１８】
ドラム１２は、乾燥の対象物である衣類Ｍを収容する容器である。ドラム１２は、モータ１５によって回転される。ドラム１２の前面側には、前面開放部１２０が開口している。前面開放部１２０は、リング板１２１によって回動自在な状態で支持されている。また、ドラム１２の奥壁１２２は、支持軸１２３によって回動自在な状態で支持されている。前面開放部１２０の側方には、ドラム１２内に冷風やバーナ１６で加熱された空気を送り込む吹出口１２５が開設されている。
【００１９】
吹出口１２５近傍には、衣類温サーミスタ（衣類温度検出部）１８及び電極１９が設けられている。これら衣類温サーミスタ１８及び電極１９はそれぞれ、衣類Ｍの接触により、衣類Ｍの衣類温度及び水分を検出する。検出された信号は、制御装置２０へ出力される。
【００２０】
ドラム１２の後面側には、後面開口部１２４が開口している。図示しないが、後面開口部１２４は、リントフィルタによって覆われている。
【００２１】
ファン１４は、ドラム１２の後方の排気ダクト１３内に配設されている。ファン１４は、モータ１５によって回転される。ファン１４を回転させることにより、本体ケース１０の下面に形成された給気口１０２から取り込まれた外部の空気がドラム１２内に送り込まれ、ドラム１２内の空気が本体ケース１０の上面に形成された排気口１０１から外部に排気される。
【００２２】
排気ダクト１３内の排気口１０１近傍には、排気温サーミスタ（排気温度検出部）３０が設けられている。排気温サーミスタ３０は、ドラム１２内から排気口１０１に向けて送り出される空気の排気温度を検出する。検出された信号は、制御装置２０へ出力される。
【００２３】
バーナ１６は、ドラム１２の下方に配設されている。ガス供給管１６１から供給される燃料ガスは噴射ノズルからバーナ１６のガス入口に向けて噴射される。そして、燃料ガスと燃料ガスの噴射に伴って吸引される空気との混合ガスがバーナ１６で燃焼され、外部から取り込まれた空気が加熱される。ガス供給管１６１には、ガス供給管１６１を開閉する電磁弁１６０が配設されている。
【００２４】
扉１１の下方の本体ケース１０の前面には、操作パネル２１が設けられている。操作パネル２１は、電源スイッチ２１１、乾燥運転を開始及び停止させる運転スイッチ２１２、標準モード（定格布量）または少量モード（定格布量より少量の布量）を選択する布量選択スイッチ（布量設定部）２１３などの操作部２１０と、運転状態や運転条件を表示する表示部２２０とを有する（図２参照）。
【００２５】
図２は、衣類乾燥機１の制御ブロック図である。制御装置２０は、既述した各要素と電気配線を通じて接続されている。また、制御装置２０は、乾燥運転の実行を制御する運転制御部２０１、乾燥運転中の温調制御を実行する温調制御部２０２、定格閾値設定部２０３、少量閾値設定部２０４、燃焼制御部２０５、及びファン制御部２０６を有するマイクロコンピュータを備える。
【００２６】
運転制御部２０１は、操作パネル２１の運転スイッチ２１２からの指示信号に基づいて、燃焼制御部２０５及びファン制御部２０６に作動信号を出力し、乾燥運転を開始させ、所定の乾燥時間が経過すると、燃焼制御部２０５及びファン制御部２０６に停止信号を出力し、乾燥運転を終了させる。
【００２７】
温調制御部２０２は、衣類温サーミスタ１８及び排気温サーミスタ３０から出力される信号に基づき、衣類温温調制御及び排気温温調制御を実行する。各温調制御の詳細は後述するが、温調制御部２０２は、衣類温度が所定の衣類温オフ閾値以上または排気温度が所定の排気温オフ閾値以上になると、燃焼制御部２０５にバーナ１６の停止を指示する停止信号を出力する。また、温調制御部２０２は、衣類温度が所定の衣類温オン閾値以下または排気温度が所定の排気温オン閾値以下になると、燃焼制御部２０５にバーナ１６の作動を指示する作動信号を出力する。ここで、衣類温または排気温オフ閾値は、乾燥運転が開始された後、バーナ１６を停止させるための上限温度である衣類温度または排気温度の設定値である。衣類温または排気温オン閾値は、一旦バーナ１６を停止させた後、バーナ１６を再度、作動させるための下限温度である衣類温度または排気温度の設定値である。このように、衣類温度及び排気温度を温調制御のための関係温度として利用することにより、高温の空気によって加熱された衣類Ｍの衣類温度及び衣類Ｍに触れた後のドラム１２内を通過する実際の空気の温度に基づき、温調制御を行うことができる。
【００２８】
さらに、温調制御部２０２は、温調制御が開始されると、所定のオンオフデューティ比に基づき、バーナ１６の作動及び停止を制御する。ここで、オンオフデューティ比は、所定の単位時間（例えば、８０秒間）における、バーナ１６を作動させる期間（以下、「オン期間」という）と、バーナ１６を停止させる期間（以下、「オフ期間」という）との割合である。このように、オン及びオフ閾値だけでなく、オン及びオフ期間を設定することにより、頻繁なバーナ１６の作動及び停止を回避でき、ドラム１２内を高温に維持しながら、効率的に衣類Ｍを乾燥させることができる。
【００２９】
定格閾値設定部２０３は、布量選択スイッチ２１３で標準モードが選択された場合、温調制御における衣類温オフ及びオン閾値として、所定の定格衣類温オフ及びオン閾値の設定値を設定し、排気温オフ及びオン閾値として、所定の定格排気温オフ及びオン閾値の設定値を設定する。
【００３０】
少量閾値設定部２０４は、布量選択スイッチ２１３で少量モードが選択された場合、温調制御における衣類温オフ及びオン閾値として、所定の少量衣類温オフ及びオン閾値の設定値を設定し、排気温オフ及びオン閾値として、所定の少量排気温オフ及びオン閾値の設定値を設定する。
【００３１】
燃焼制御部２０５は、運転制御部２０１や温調制御部２０２からの信号に基づき、電磁弁１６０を開閉して、バーナ１６を作動及び停止させる。ファン制御部２０６は、所定量の空気がバーナ１６に供給されるように、モータ１５を作動させる。また、図示しないが、制御装置２０のメモリは、各種制御プログラム、定格衣類温オフ及びオン閾値、定格排気温オフ及びオン閾値、少量衣類温オフ及びオン閾値、少量排気温オフ及びオン閾値、オン期間、オフ期間などの設定値が格納されたデータテーブルを備える。
【００３２】
次に、本実施の形態の衣類乾燥機１における制御動作について図３〜図５を参照して説明する。なお、本実施の形態の衣類乾燥機１における定格布量は、６ｋｇが設定されており、少量の布量は、定格布量の１／３以下の２ｋｇ以下が設定されている。これらの布量は、ドラム１２の大きさに応じて、適宜設定される。
【００３３】
使用者が、ドラム１２内に衣類Ｍを投入し、衣類乾燥機１の操作パネル２１を介して所定の乾燥開始操作を入力すると、制御装置２０は、モータ１５を作動させてファン１４を回転させるとともに、バーナ１６を作動させる(ステップＳ１)。これにより、乾燥運転が開始される。なお、以下では、バーナ１６を作動させること（すなわち、バーナ１６の燃焼）を、「バーナ１６をオンする」といい、バーナ１６を停止させること（すなわち、バーナ１６の消火）を、「バーナ１６をオフする」という場合がある。
【００３４】
次いで、制御装置２０は、温調制御が実行されたときのオンオフデューティ比を所定の初期パターン（オン期間：７０秒間，オフ期間：１０秒間）に設定する（ステップＳ２）。なお、本実施の形態では、オンオフデューティ比は初期パターンに固定されているが、衣類Ｍの乾燥状態に応じて、オンオフデューティ比が高くまたは低くなるように変更してもよい。
【００３５】
また、制御装置２０は、操作パネル２１の操作部２１０の布量選択スイッチ２１３で標準モードまたは少量モードのいずれが選択されたかを判定する（ステップＳ３）。標準モードが選択されている場合、温調制御における排気温オン及びオフ閾値として、所定の定格排気温オフ及びオン閾値（例えば、７０℃及び６９℃）が設定され、温調制御における衣類温オン及びオフ閾値として、所定の定格衣類温オフ及びオン閾値（例えば、９０℃及び８０℃）が設定される（ステップＳ４）。一方、少量モードが選択されている場合、温調制御における排気温オン及びオフ閾値として、所定の少量排気温オフ及びオン閾値（例えば、８０℃及び７９℃）が設定され、温調制御における衣類温オン及びオフ閾値として、所定の少量衣類温オフ及びオン閾値（例えば、９０℃及び８０℃）が設定される（ステップＳ５）。なお、本実施の形態では、少量衣類温オフ及びオン閾値はそれぞれ、定格衣類温オフ及びオン閾値と同一の設定値が設定されている。しかしながら、少量衣類温オフ及びオン閾値をそれぞれ、定格衣類温オフ及びオン閾値よりも高温に設定してもよい。定格衣類温オフ及びオン閾値よりも高温の少量衣類温オフ及びオン閾値を設定することにより、高温の空気によって加熱された衣類Ｍの衣類温度に基づき、温調制御を実行することができる。また、部分的な衣類Ｍの過熱を検知できるから、衣類Ｍの損傷を防止することができる。
【００３６】
次いで、排気温度及び衣類温度の監視が実行される。乾燥運転の開始後、排気温度が設定された所定の排気温オフ閾値（すなわち、標準モードが選択された場合、定格排気温オン閾値、少量モードが選択された場合、少量排気温オフ閾値。以下、同様）以上になると（ステップＳ６で、Ｙｅｓ）、図４に示す排気温温調制御が実行される。また、排気温度が所定の排気温オフ閾値以上になる前に、衣類温度が設定された所定の衣類温オフ閾値以上になると（ステップＳ７で、Ｙｅｓ）、図５に示す衣類温温調制御が実行される。
【００３７】
図４に示すように、排気温温調制御が開始されると、バーナ１６がオフされ、所定のオフ期間をカウントするためにオフタイマがスタートされる（ステップＳ２１）。次いで、オフ期間が経過すると、排気温度が所定の排気温オン閾値以下になるかどうかが監視される（ステップＳ２２〜Ｓ２３）。排気温度が所定の排気温オン閾値以下に低下すると、バーナ１６が再度、オンされ、所定のオン期間をカウントするためにオンタイマがスタートされる（ステップＳ２４）。
【００３８】
次いで、オン期間が経過するかどうか、衣類温度が所定の衣類温オフ閾値以上になるかどうか、及び排気温度が所定の排気温オフ閾値以上になるかどうかが監視される（ステップＳ２５〜Ｓ２７）。所定のオン期間が経過する前に、衣類温度が所定の衣類温オフ閾値以上になるか、または排気温度が所定の排気温オフ閾値以上になると（ステップＳＴ２６またはＳＴ２７で、Ｙｅｓ）、バーナ１６がオフされる（ステップＳ２１）。なお、衣類温度が所定の衣類温オフ閾値未満であり、排気温度が所定の排気温オフ閾値未満であっても、所定のオン期間が経過すると（ステップＳＴ２５で、Ｙｅｓ）、バーナ１６がオフされる（ステップＳ２１）。
【００３９】
一方、図５に示す衣類温温調制御が開始されると、バーナ１６がオフされ、衣類温度が所定の衣類温オン閾値以下になるかどうかが監視される（ステップＳ４３〜Ｓ４４）。そして、衣類温度が所定の衣類温オン閾値以下になると、バーナ１６が再度、オンされる（ステップＳ４５）。バーナ１６がオンされると、排気温度が所定の排気温オフ閾値以上になるかどうか、及び衣類温度が所定の衣類温オフ閾値になるかどうかが監視される（ステップＳ４１〜Ｓ４２）。このとき、排気温度が所定の排気温オフ閾値以上になると（ステップＳ４１で、Ｙｅｓ）、既述した排気温温調制御に移行する。排気温度が所定の排気温オフ閾値以上になる前に、衣類温度が所定の衣類温オフ閾値以上になると（ステップＳ４２で、Ｙｅｓ）、バーナ１６が再度、オフされ、衣類温温調制御が継続される。
【００４０】
以上のように、本実施の形態の衣類乾燥機１によれば、乾燥運転において、上記の各制御動作（図３〜図５参照）が実行される。図示しないが、所定の乾燥運転時間が経過するか、または操作パネル２１で所定の乾燥中止操作が入力されると、バーナ１６がオフされるとともに、モータ１５及びファン１４を停止させ、乾燥運転を終了させる。
【００４１】
図６は、本実施の形態の衣類乾燥機１で、少量（１ｋｇ）の衣類を少量モードで乾燥させた場合の乾燥時間と、排気温度及び衣類温度との関係を示すグラフである。また、図７は、本実施の形態の衣類乾燥機１で、少量（１ｋｇ）の衣類を標準モードで乾燥させた場合の乾燥時間と、排気温度及び衣類温度との関係を示すグラフである。図中、一点鎖線（ａ）は、排気温度を、破線（ｂ）は、衣類温度を、実線（ｃ）は、電極で水分が検出された際のパルス信号を示す。
【００４２】
図６に示すように、布量選択スイッチ２１３で少量モードが選択されている場合、乾燥運転初期において、排気温度が所定の少量排気温オフ閾値である８０℃に上昇するまでの初期加熱時間は約１４分間である。これに対して、図７に示すように、布量選択スイッチ２１３で標準モードが選択されている場合、排気温度が所定の定格排気温オフ閾値である７０℃に上昇するまでの初期加熱時間は、約１０分間である。従って、前者は後者に比べて、乾燥運転初期においてバーナ１６をオンさせる時間が長くなり、ドラム１２内の温度をより高温に上昇させた状態から温調制御を開始させることができる。
【００４３】
また、布量選択スイッチ２１３で少量モードが選択されている場合、排気温温調制御における排気温オフ閾値は、定格排気温オフ閾値よりも高温の少量排気温オフ閾値に設定されるため、排気温度が定格排気温オフ閾値以上に上昇してもバーナ１６がオフされず、ドラム１２内で衣類Ｍをより高温の空気に接触させることができる。
【００４４】
また、温調制御中はファン１４の回転により外部からドラム１２内に空気が供給されているため、バーナ１６がオフされると、外部の低温の空気がドラム１２内に供給されて、ドラム１２内の温度が低下する。そのため、排気温度が定格排気温オン閾値以下に低下した後、バーナ１６がオンされると、バーナ１６がオフされている時間が長くなって、排気温度が上昇するのに長時間が必要となり、乾燥時間が長くなりやすい。
しかしながら、上記衣類乾燥機１によれば、少量モードが選択されると、排気温温調制御において、排気温オフ閾値が定格排気温オフ閾値よりも高温の少量排気温オフ閾値に設定されるだけでなく、排気温オン閾値も定格排気温オン閾値よりも高温の少量排気温オン閾値に設定されるから、ドラム１２内を高温に維持することができ、少量の衣類Ｍに十分な熱量を与えることができる。
【００４５】
さらに、上記排気温温調制御では、一旦、排気温度が排気温オフ閾値まで上昇してバーナ１６をオフさせると、所定のオフ期間が経過するまでバーナ１６をオンさせないから、頻繁なバーナ１６のオン及びオフを回避できる。これにより、衣類Ｍの損傷を防止しながら、効率的に衣類Ｍを乾燥させることができる。なお、上記排気温温調制御では、バーナ１６がオンされると、排気温オフ閾値だけでなく、オン期間にも基づいてバーナ１６がオフされるから、バーナ１６が長時間、オンされた状態を回避できる。
【００４６】
なお、この衣類乾燥機１で定格布量（６ｋｇ）の衣類Ｍを乾燥させるのに設定されている乾燥時間は、約１時間である。これに対して、図７に示す、少量（１ｋｇ）の衣類Ｍを標準モードで乾燥させる場合、乾燥時間は約２８分間である。従って、定格衣類温オン及びオフ閾値並びに定格排気温オン及びオフ閾値を利用して少量（１ｋｇ）の衣類Ｍを乾燥させるために必要な乾燥時間は、衣類Ｍの布量に応じて期待される乾燥時間よりも長い。
【００４７】
しかしながら、図６に示す、少量（１ｋｇ）の衣類Ｍを少量モードで乾燥させる場合、乾燥時間は約１８分間である。すなわち、少量の衣類Ｍを少量モードで乾燥させることにより、標準モードで乾燥させるときの乾燥時間を３５％以上、短縮できる。
【００４８】
従って、本実施の形態の衣類乾燥機１によれば、定格布量よりも少量の衣類Ｍを効率的に乾燥させることができる。
【００４９】
（その他の実施の形態）
（１）上記実施の形態では、少量排気温オフ閾値と定格排気温オフ閾値との温度差は、少量排気温オフ閾値と定格排気温オフ閾値との温度差と同一に設定されているが、これらの温度差は異なってもよい。
（２）上記実施の形態では、乾燥時間により乾燥運転を終了させているが、電極で検知される衣類の水分量に基づき、乾燥運転を終了させてもよい。また、乾燥時間及び電極で検知される衣類の水分量のいずれか一方または両方に基づき、乾燥運転を終了させてもよい。
（３）上記実施の形態では、少量モードは１種類のみが設定されているが、衣類の布量に応じて、複数の少量モードが設定されてもよい。この場合、衣類の布量が少なくなるに従って、連続的にまたは段階的に、オフ及びオン閾値がより高温になるように設定される。
（４）上記実施の形態では、布量設定部として手動の布量選択スイッチが設けられているが、衣類の重量を測定する重量センサなどの自動の布量設定部を用いてもよい。
【符号の説明】
【００５０】
１        衣類乾燥機
１０      本体ケース
１２      ドラム
１４      ファン
１６      バーナ
１８      衣類温サーミスタ
２０      制御装置
２２      排気温サーミスタ
２０２    温調制御部
２０３    定格閾値設定部
２０４    少量閾値設定部
Ｍ        衣類
【図１】
2019076360.tif 000003
【図２】
2019076360.tif 000004
【図３】
2019076360.tif 000005
【図４】
2019076360.tif 000006
【図５】
2019076360.tif 000007
【図６】
2019076360.tif 000008
【図７】
2019076360.tif 000009